(57)【特許請求の範囲】
【請求項１】
貯蔵室と、
前記貯蔵室内に配された容器と、
前記容器の上方において前後方向に配された上ダクトと、
前記上ダクト内に流通させる冷気を吸い込むダクト吸い込み口と、
前記上ダクトの底面前部に開口し、前記冷気を前記容器の前面の上から下に向かって吹き出すダクト吹き出し口と、
前記容器の前面に設けられた手掛け部と、
前記容器の前部であって、前記手掛け部より後方に設けられた遮蔽壁と、
前記手掛け部と前記遮蔽壁との間に、前記ダクト吹き出し口からの前記冷気を流通させる流通口と、
を有し、
前記容器の下方にさらに下容器が配され、
前記冷気が前記容器の前記流通口から前記下容器内部に侵入する、
冷蔵庫。
【請求項２】
前記下容器の後面に後排気口が開口し、
前記下容器内部に侵入した冷気が、前記後排気口から排気される、
請求項１に記載の冷蔵庫。
【請求項３】
貯蔵室と、
前記貯蔵室内に配された容器と、
前記容器の上方において前後方向に配された上ダクトと、
前記上ダクト内に流通させる冷気を吸い込むダクト吸い込み口と、
前記上ダクトの底面前部に開口し、前記冷気を前記容器の前面の上から下に向かって吹き出すダクト吹き出し口と、
前記容器の前面に設けられた手掛け部と、
前記容器の前部であって、前記手掛け部より後方に設けられた遮蔽壁と、
前記手掛け部と前記遮蔽壁との間に、前記ダクト吹き出し口からの前記冷気を流通させる流通口と、
を有し、
前記容器の下方にさらに下容器が配され、
前記容器と前記下容器の間に前後方向に下ダクトが配され、
前記下ダクトの上面前部に下ダクト吸い込み口が開口し、前記下ダクトの後面に下ダクト排気口が開口し、
前記冷気が前記容器の前記流通口から前記下ダクトの前記下ダクト吸い込み口に侵入し、前記下ダクト排気口から排気される、
冷蔵庫。
【請求項４】
前記上ダクト内の前記ダクト吸い込み口と前記ダクト吹き出し口との間に前記冷気の流れを遮る案内板が設けられている、
請求項１から３のいずれか一項に記載の冷蔵庫。
【請求項５】
前記貯蔵室の前面には、観音開き式の左右一対の扉が設けられ、
左右一対の扉が合わさる部分に対応した前記上ダクトに、前記ダクト吹き出し口が設けられている、
請求項１から３のいずれか一項に記載の冷蔵庫。
【発明の詳細な説明】
【技術分野】
【０００１】
本発明の実施形態は、冷蔵庫に関するものである。
【背景技術】
【０００２】
従来、食品の鮮度を向上させるために冷蔵室内部にはチルド容器が設けられ、冷蔵室の庫内温度よりも低いチルド温度で食品を貯蔵している。
【先行技術文献】
【特許文献】
【０００３】
【特許文献１】国際特許２０１４／１２２７８０号公報
【特許文献２】特開２０１３−８３３６４号公報
【発明の概要】
【発明が解決しようとする課題】
【０００４】
しかし、上記チルド容器内の食品をチルド冷蔵する場合には、冷気を食品に直接当てて温度を下げているため温度変動が大きくなって、食品が氷結と解凍を繰り返して鮮度が落ちてしまうという問題点があった。
【０００５】
そこで本発明の実施形態は上記問題点に鑑み、チルド容器内の食品の鮮度を保持できる冷蔵庫を提供することを目的とする。
【課題を解決するための手段】
【０００６】
本発明の実施形態は、貯蔵室と、前記貯蔵室内に配された容器と、前記容器の上方において前後方向に配された上ダクトと、前記上ダクト内に流通させる冷気を吸い込むダクト吸い込み口と、前記上ダクトの底面前部に開口し、前記冷気を前記容器の前面の上から下に向かって吹き出すダクト吹き出し口と、前記容器の前面に設けられた手掛け部と、前記容器の前部であって、前記手掛け部より後方に設けられた遮蔽壁と、前記手掛け部と前記遮蔽壁との間に、前記ダクト吹き出し口からの前記冷気を流通させる流通口と、を有し、前記容器の下方にさらに下容器が配され、前記冷気が前記容器の前記流通口から前記下容器内部に侵入する、冷蔵庫である。本発明の実施形態は、貯蔵室と、前記貯蔵室内に配された容器と、前記容器の上方において前後方向に配された上ダクトと、前記上ダクト内に流通させる冷気を吸い込むダクト吸い込み口と、前記上ダクトの底面前部に開口し、前記冷気を前記容器の前面の上から下に向かって吹き出すダクト吹き出し口と、前記容器の前面に設けられた手掛け部と、前記容器の前部であって、前記手掛け部より後方に設けられた遮蔽壁と、前記手掛け部と前記遮蔽壁との間に、前記ダクト吹き出し口からの前記冷気を流通させる流通口と、を有し、前記容器の下方にさらに下容器が配され、前記容器と前記下容器の間に前後方向に下ダクトが配され、前記下ダクトの上面前部に下ダクト吸い込み口が開口し、前記下ダクトの後面に下ダクト排気口が開口し、前記冷気が前記容器の前記流通口から前記下ダクトの前記下ダクト吸い込み口に侵入し、前記下ダクト排気口から排気される、冷蔵庫である。
【図面の簡単な説明】
【０００７】
【図１】本発明の実施形態１の冷蔵庫の正面図。
【図２】冷蔵庫の右から見た断面図。
【図３】チルド室の正面図。
【図４】チルド室の前後方向の縦断面図。
【図５】チルド室の左右方向の縦断面図。
【図６】上ダクトの横断面図。
【図７】上容器と下容器を収納した状態の要部拡大縦断面図。
【図８】上容器を引き出した状態の要部拡大縦断面図。
【図９】下容器を引き出した状態の要部拡大縦断面図。
【図１０】実施形態２のチルド室の側方から見た縦断面図。
【図１１】実施形態３のチルド室の側方から見た縦断面図。
【発明を実施するための形態】
【０００８】
以下、本発明の一実施形態の冷蔵庫１０について図面を参照して説明する。
【実施形態１】
【０００９】
実施形態１の冷蔵庫１０について図１〜図９を参照して説明する。
【００１０】
（１）冷蔵庫１０の構造
冷蔵庫１０の構造について図１と図２に基づいて説明する。図１は冷蔵庫１０の正面図、図２は冷蔵庫１０の側面から見た縦断面図である。
【００１１】
冷蔵庫１０のキャビネット１２は断熱箱体であって、内箱と外箱とより形成され、その間に断熱材が充填されている。このキャビネット１２内は、上から順番に冷蔵室１４、野菜室１６、小型冷凍室１８及び冷凍室２０を有し、小型冷凍室１８の横には製氷室２１が設けられている。野菜室１６と小型冷凍室１８及び製氷室２１の間には水平な断熱仕切体３６が設けられている。冷蔵室１４と野菜室１６とは水平な仕切体３８によって仕切られている。冷蔵室１４の前面には、観音開き式の扉１４ａ，１４ｂが設けられ、野菜室１６、小型冷凍室１８、冷凍室２０及び製氷室２１にはそれぞれ引出し式の扉１６ａ，１８ａ，２０ａ，２１ａが設けられている。
【００１２】
冷蔵室１４内には、複数の棚４０が水平に設けられ、下部にはチルド室４２が設けられている。このチルド室４２は低温室であって、上下二段の上容器６０と下容器６２に肉や魚を収納する。チルド室４２については、後から詳しく説明する。冷蔵室１４の扉１４ａの後面には複数のドアポケット４４が設けられている。野菜室１６には、引出し式の野菜容器４６、４８が設けられている。
【００１３】
冷蔵室１４の後面下部から野菜室１６の後面において、冷蔵用蒸発器（以下、「Ｒエバ」という）２８が設けられ、その下方には冷蔵用送風機（以下、「Ｒファン」という）３０が設けられている。Ｒエバ２８とＲファン３０とは、エバカバー１５で囲まれた冷却室であるＲエバ室１７に配されている。また、Ｒエバ１７の前方であって、冷蔵室１４の仕切り板３８の後部からＲファン３０に向かって、チルド室４２からの冷気のリターンダクト１５が設けられている。
【００１４】
小型冷凍室１８、製氷室２１の後面から冷凍室２０の後面にかけてのＦエバ室２９には、冷凍用蒸発器（以下、「Ｆエバ」という）３２が設けられ、その上方には冷凍用送風機（以下、「Ｆファン」という）３４が設けられている。Ｆエバ３２の下方には、不図示の除霜ヒータが設けられている。
【００１５】
図２に示すようにＲエバ２８で冷却された冷気は、Ｒファン３０によって冷蔵室１４、チルド室４２及び野菜室１６に送風される。チルド室４２から排出された冷気は、リターンダクト１５内に流れ、Ｒファン３０によってＲエバ２８に循環する。Ｆエバ３２で冷却された冷気は、Ｆファン３４によって小型冷凍室１８、製氷室２１、冷凍室２０に送風される。
【００１６】
キャビネット１２の後底部には、機械室２２が設けられ、冷凍サイクル６２を構成する圧縮機２４などが載置されている。この機械室２２の後面上部には、制御板２６が設けられている。
【００１７】
（２）チルド室４２の構造
次に、チルド室４２の構造について図３〜図９に基づいて説明する。図３に示すように、冷蔵室１４の下部に設けられたチルド室４２は、冷蔵室１４の向かって右側に設けられ、左側にはタンク５０が配されている。タンク５０は、製氷室２１に設けられている製氷装置の製氷皿に水を供給するために配されている。
【００１８】
チルド室４２は、図５に示すように上面板５２と、タンク５０との境界に設けられた左板５４と、冷蔵室１４の右側面を構成している右板５６と、冷蔵室１４の後面を構成している後板５８と、冷蔵室１４の底面を構成している仕切体３８により囲まれ、チルド室４２内部には引き出し式の上方のチルド容器（以下、「上容器」という）６０と下方のチルド容器（以下、「下容器」という）６２が上下２段に配されている。また、上面板５２の前端部から上容器６０の前端部の間にはヒンジ結合によって回動自在の蓋６４が吊り下げられている。上面板５２と上容器６０との間には上ダクト６６が設けられている。
【００１９】
上容器６０は、合成樹脂製であって、前面板６０１、左右一対の側面板６０２，６０２、後面板６０３、底面板６０４から構成され、上面が開口している。前面板６０１の前部には上手掛け部６０５が形成されている。図７に示すように、上手掛け部６０５は下部が開口し、上部が閉塞し、図３に示すように上手掛け部６０５の下端部中央には上切欠き部６０６が四角状に切り欠かれている。これにより上容器６０の前面板６０１と上手掛け部６０５の間に手（指）が挿入できる挿入空間６１５が形成されている。また、前面板６０１の下部は段部６０８が形成されている。この段部６０８は、図８に示すように上手掛け部６０５の下方から指をより挿入し易くするためである。上手掛け部６０５の前面は階段状に形成され光散乱面６０７が形成されている。前面板６０１と底面板６０４の合わさっている角部には、図７〜図８に示すように複数のスリット状の流通口６０９が幅方向に所定間隔毎に開口している。上容器６０の左右一対の側面板６０２，６０２は、前部から中央部に行くほど上方に膨らむ膨らみ部６１４が形成されている。この膨らみ部６１４は、蓋６４を押し上げる。図４と図５に示すように、上容器６０の左右一対の側面板６０２，６０２の外側には前後方向に左右一対の突状のレール６１０がそれぞれ突出している。図５に示すように、左右一対のレール６１０，６１０に対応して、左板５４と右板５６にはレール受け６１２が前後方向にそれぞれ形成されている。
【００２０】
上容器６０の底面前部、かつ、流通口６０９よりも後方から。遮蔽壁６１１が左右方向に立設されている。この遮蔽壁６１１は、前面板６０１とほぼ平行に立設されている。
【００２１】
下容器６２は、合成樹脂製であって、仕切体３８に引き出し自在に配され、前面板６２１、左右一対の側面板６２２，６２２、後面板６２３、底面板６２４より構成され、上面が開口している。また、前面板６２１の前部には下手掛け部６２５が形成されている。下手掛け部６２５は、下部が閉塞し、上部が開口し、図３に示すように下手掛け部６２５の上端部中央には下切欠き部６２６が四角状に切り欠かれている。すなわち、下容器６２の前面板６２１の前方に下手掛け部６２５が下から被さるように形成され、前面板６２１と下手掛け部６２５の間に手が挿入できる挿入空間６３０が形成されるている。図４と図５に示すように、仕切板３８の上面には左右一対の載置突条６２７が前後方向に突出し、この上に下容器６２が載置されている。下容器６２の左右一対の側面板６２２，６２２には左右一対の突条のレール６２８，６２８がそれぞれ突出している。チルド室４２の左板５４と右板５６には、レール６２８に対応したレール受け６２９が前後方向にそれぞれ形成されている。図４に示すように、下容器６２の前部下部が底上げ状態になっているのは、仕切体３８の前部が上方に膨らんでいるため、下容器６２を前方に引き出した場合にその膨らみに対応させるためである。下容器６２の後面板６２３には、複数の後排気口６３２が開口している。この後排気口６３２に対向したチルド室４２の後面５８から仕切板３８にかけて冷気の排気口６３４が開口している。
【００２２】
下容器６２の底面板６２４に対応した仕切板３８の上面の凹みには、断熱板７８が配置されている。
【００２３】
蓋６４は、チルド室４２の上面板５２の前端部から回動自在に、かつ、垂れ下がるように取り付けられている。蓋６４は、前面の断面形状が円弧状であり、蓋６４の上端部から後方に向かって左右一対のヒンジ片７０，７０が突出している。また、上面板５２の前端部から左右一対のヒンジ支持片７２が突出している。ヒンジ支持片７２と蓋６４のヒンジ片７０とがヒンジ軸７４を介して回動自在にヒンジ結合されている。蓋６４の下端は、後方に折り返されフランジ部７６が形成されている。蓋６４の円弧状の前面の上下方向の寸法は、上面板５２の前端部から上容器６０の上前端部までの寸法に相当し、蓋６４のフランジ部７６は、上容器６０の上手掛け部６０５の上面より若干上方に位置している。蓋６４の左端部には、押圧片６８が形成されている。これにより、蓋６４は、図８に示すように、上容器６０を前方に引き出すと、側面板６０２の前端部と膨らみ部６１４によって押圧片６８が押圧されて、ヒンジ軸７４を中心に上方に回転して蓋６４が開き、上容器６０の引き出しの障害とならない。
【００２４】
上ダクト６６は、平板状のダクトであり、上面板５２の下面に形成され、上容器６０の上方に位置し、上容器６０の左右方向の寸法及び前後方向の寸法とほぼ同じ大きさに形成されている。上ダクト６６の上面は上面板５２が兼ねており、それ以外に前面板６６１、左右一対の側面板６６２，６６２、後面板６６３、底面板６６４より構成されている。後面板６６３には、Ｒエバ２８から吹き出された冷気を吸い込むためのダクト吸い込み口６６５が複数開口している。また、上ダクト６６の底面板６６４の前端部には、複数のダクト吹き出し口６６６が開口している。特に、ダクト吹き出し口６６６は、観音開き式の扉１４ａ、１４ｂとの合わさる位置に対応して設けられている。上ダクト６６の上面板５２内部には、断熱板６６８が設けられ、底面板６６４には、アルミニウムなどよりなる熱伝導性の高い伝熱板６７０が設けられている。上ダクト６６の内部、すなわち、図６に示すように上面板５２と底面板６６４の間であって、かつ、ダクト吸い込み口６６５とダクト吹き出し口６６６の間には、冷気を案内するための案内板６７２が立設されている。案内板６７２は、所定間隔毎に左右方向に複数設けられ、ダクト吸い込み口６６５から吸い込まれた冷気がダクト吹き出し口６６６に直線状に移動しないように案内して、上ダクト６６内部全般にわたって流れるように配置されている。
【００２５】
（３）チルド室４２内部の作用
チルド室４２内部の作用について説明する。図４に示すように、上容器６０と下容器６２がチルド室４２に収納された状態では、チルド室４２は、上面板５２、左板５４、右板５６、後板５８、上容器６０の前面板６０１、下容器６２の前面板６２１、蓋６４によって閉塞された空間となっている。
【００２６】
冷気は、Ｒエバ２８によって冷却されて複数のダクト吸い込み口６６５から吸い込まれ、上ダクト６６内部に侵入する。
【００２７】
上ダクト６６内部に侵入した冷気は、複数の案内板６７２によって上ダクト６６の前後方向及び左右方向にわたって万遍なく流れ、上ダクト６６の全体を冷却する。上ダクト６６の上部は断熱板６６８によって覆われているため熱リークがなく、かつ、下部は伝熱板６７０を介して上容器６０を間接的に冷却する。
【００２８】
複数の案内板６７２を通過した冷気は、上ダクト６６の前部に至り、底面板６２４の前端部に開口した複数のダクト吹き出し口６６６から下方に向かって吹き出される。
【００２９】
下方に吹き出された冷気は、上容器６０の前面板６０１と遮蔽壁６１１の間を通過し、流通口６０９から排気される。この下方に流れる冷気によって上容器６０は、前方からも間接的に冷却され、かつ、前方からの熱の侵入を防止できる。特に、ダクト吹き出し口６６６が、観音開き式の扉１４ａと１４ｂとの合わさる位置に対応して設けられているため、熱が最も侵入しやすい位置を冷気によって遮蔽し、上容器６０に熱が侵入しない。
【００３０】
上容器６０を間接的に冷却した冷気は、流通口６０９を通って下容器６２に流れ込む。上容器６０から流れ込んだ冷気は、下容器６２内部に貯蔵されている肉や魚を直接冷却し、下容器６２の後面板６２３に開口した後排気口６３２から外部に排気され、その後に排気口６３４からリターンダクト１５に流れる。リターンダクト１５に流れた冷気は、Ｒエバ室１７のＲファン３０によってＲエバ２８に循環し、再び冷却される。
【００３１】
利用者が、上容器６０を引き出すときは、図８に示すように下方が開口した上手掛け部６０５の上切欠き部６０６に下方から手（指）を入れて前方に引き出すと、上容器６０のレール６１０はレール受け６１２に沿って移動し、上容器６０を簡単に引き出すことができる。また、左右一対の側面板６０２，６０２の前端部と膨らみ部６１４が蓋６４を押し上げる。
【００３２】
利用者が、下容器６２を引き出すときは、図９に示すように、上方が開口した下手掛け部６２５の下切り欠き部６２６に上方から手（指）を入れて前方に引き出すと、下容器６２のレール６２８がレール受け６２９に沿って移動し、下容器６２の底面板６２４が載置突条６２７に左うちされた状態で前方に移動し、下容器６２を簡単に引き出すことができる。
【００３３】
（４）効果
本実施形態の冷蔵庫１０であると、Ｒエバ２８から最も近い位置のダクト吸い込み口６６５から冷気が上ダクト６６に吸い込まれるため、上ダクト６６内は、冷蔵室１４の他の部分よりも冷却される。そして、上容器６０は、上ダクト６６からの間接冷却と、遮蔽壁６１１の前方を下方に流れる冷気による間接冷却によって、冷気が食品に直接当たることがなく、チルド温度に冷却でき、その鮮度も落ちない。また、上容器６０内部は間接冷却であるため、内部の温度変動を抑制できる。
【００３４】
また、下容器６２に貯蔵されている食品は、上容器６０の流通口６０９から吹き出された冷気によって直接冷却され、チルド温度に冷却できる。すなわち、上容器６０は、間接冷却を行うことができ、下容器６２は直接冷却を行うことができる。
【００３５】
また、上ダクトの底面板６６４の前端部にあるダクト吹き出し口６６６から冷気が下方に吹き出されるため、上容器６０の前方がこの冷気によって遮蔽され、冷蔵室１４からの熱を遮断できる。特に、観音開き式の扉１４ａ，１４ｂでは、その合わさる部分から熱が侵入しやすいが、この部分にダクト吹き出し口６６６が設けられているため、この熱の侵入をより防止できる。
【００３６】
また、上ダクト６６内部には、複数の案内板６７２が前後方向及び左右方向に間隔を空けて設けられているため、ダクト吸い込み口６６５から侵入した冷気がダクト吹き出し口６６６に直線状に流れることなく、上ダクト６６内部を万遍なく冷却する。
【００３７】
また、上ダクト６６の上面板５２には、断熱板６６８が設けられているため、上ダクト６６から上方に熱リークがし難い。
【００３８】
また、上ダクト６６の底面板６６４には、伝熱板６７０が設けられているため、熱伝達ロスを抑えて、上ダクト６６の冷気を、間接的に上容器６０内部に伝えることができる。
【００３９】
また、上ダクト６６は上容器６０の上方を全面にわたって設けられているため、上容器６０の上方を全面に間接冷却できる。
【００４０】
また、下容器６２の下方には仕切板３８に設けた断熱板７８が配されているため、下容器６２の下方から熱が侵入し難い。そのため、下容器６２に貯蔵された食品の低温状態を保持できる。
【００４１】
また、間接冷却を行うための上ダクト６６を上容器６０の上方に配するため、上容器６０の容積を減らすことなく、従来と同様に食品を貯蔵できる。
【００４２】
また、冷蔵室１４内を循環して食品を冷やし終えた空気は温度が高く、上容器６０と下容器６２に接触すると、これら内部の食品の温度が上がるが、蓋６４、上容器６０の前面板６０１、下容器６２の前面板６２１によってその侵入が阻止されているため、内部の食品の温度が上がることがない。
【実施形態２】
【００４３】
次に、実施形態２の冷蔵庫１０について図１０に基づいて説明する。本実施形態と実施形態１の異なる点は、上容器６０に設けられた遮蔽壁６１１の構成である。
【００４４】
実施形態１では、上容器６０の底面板６０４から遮蔽壁６１１が上容器６０の上部まで立設されていたが、本実施形態では上容器６０の底面板６０４から立設された遮蔽壁６１１は、前面板６０１とほぼ同じ高さまで立設され、かつ、上ダクト６６の前端部、かつ、ダクト吹き出し口６６６の後方より上遮蔽壁６１３が突出している。
【００４５】
これにより、上容器６０を収納した状態で、上容器６０の前部は、遮蔽壁６１１と上遮蔽壁６１３によって遮蔽され、この前方を冷気が流れる。これにより、冷気の侵入をより防止でき、かつ、間接冷却を行うことができる。
【実施形態３】
【００４６】
次に、実施形態３の冷蔵庫１０について図１１に基づいて説明する。実施形態１の冷蔵庫１０では、上容器６０は間接冷却を行い、下容器６２は直接冷却を行っていた。しかし、本実施形態では上容器６０に加えて下容器６２も間接冷却する場合の実施形態である。
【００４７】
図１１に示すように、上容器６０と下容器６２との間に下ダクト８０を設ける。下ダクト８０は、前後方向に設けられ、上面板８００、前面板８０１、左右一対の側面板８０２，８０２、後面板８０３、底面板８０４より構成されている。
【００４８】
上面板８００の前端部には、上容器６０の流通口６０９から流通した冷気が侵入するための下ダクト吸い込み口８０６が複数設けられている。この下ダクト吸い込み口８０６から侵入した冷気は、下ダクト８０内を前から後ろに流れて、後面板８０３に開口した下ダクト排気口８０４からリターンダクト１５に流れる。また、底面板８０４の下面には、アルミニウムよりなる伝熱板８０８が設けられている。さらに、上ダクト６６と同様に、冷気が下ダクト８０の全てにわたって流れるようにするための複数の案内板６７２が立設されている。
【００４９】
本実施形態の冷蔵庫１０であると、下容器６２も、下ダクト８０の冷気によって間接冷却できる。
【実施形態４】
【００５０】
次に、実施形態４の冷蔵庫１０について説明する。上記各実施形態では、Ｒエバ２８を通過した冷気は全てダクト吸い込み口６６５から上ダクト６６に侵入する構造であったが、本実施形態ではこのダクト吸い込み口６６５に空気の遮蔽装置を設ける。例えば、Ｒエバ２８が防露ヒータにより高温になった場合や、冷蔵室１４の冷却を停止している場合などに高温の空気が侵入しないようにするためにこの遮蔽装置を動作させて、ダクト吸い込み口６６５を閉塞し、チルド室４２内部の温度を低い状態に保持する。
【００５１】
遮蔽装置としては、例えばダクト吸い込み口６６５近傍に温度センサを設け、この温度センサが所定温度（例えば、５℃）以上の温度を検出したときにシャッタを閉塞させたり、また、冷蔵庫１０の制御板２６によって圧縮機２４が停止したり、Ｒファン３０が停止したときに、シャッタを作動させてダクト吸い込み口６６５を閉塞する。
【００５２】
なお、遮蔽装置を設ける位置としてはダクト吸い込み口６６５に限定されず、上ダクト６６や排気口６３４などの冷気経路上に設けることができる。
【変更例】
【００５３】
上記各実施形態では、上容器６０と下容器６２の上下２段の構造であったが、これに限らず、上容器６０のみの１段の構造でもよく、また、上容器６０が左右方向に２個並列に並んだ状態でもよく、下容器６２を左右方向に並列に複数個配列された構造であってもよい。
【００５４】
また、上記実施形態では、上ダクト６６を合成樹脂で形成したが、これに代えてアルミ板などのように熱伝導率の高い伝熱板で形成してもよい。
【００５５】
また、上記各実施形態では、チルド室４２は冷蔵室１４の底面に設けたが、これに限らず他の位置に設けてもよい。
【００５６】
また、上記実施形態では、上ダクト６６の上面に断熱板６６８を設け、底面板６６４に伝熱板６７０を設けたが、断熱板６６８及び伝熱板６７０を有さない上ダクト６６であってもよい。
【００５７】
また、上記実施形態では、チルド室を例に説明を行ったが、チルド温度帯に限定されず、野菜容器や冷凍容器などの様々な温度帯の容器に対して本発明を適用可能である。
【００５８】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５９】
１０・・・冷蔵庫、１４・・・冷蔵室、１４ａ，１４ｂ・・・観音開き式の扉、３８・・・仕切体、４２・・・チルド室、６０・・・上容器、６２・・・下容器、６６・・・上ダクト、６６５・・・ダクト吸い込み口、６６６・・・ダクト吹き出し口、６６８・・・断熱板、６７０・・・伝熱板、６７２・・・案内板
【図１】
0006726488.tif 000002
【図２】
0006726488.tif 000003
【図３】
0006726488.tif 000004
【図４】
0006726488.tif 000005
【図５】
0006726488.tif 000006
【図６】
0006726488.tif 000007
【図７】
0006726488.tif 000008
【図８】
0006726488.tif 000009
【図９】
0006726488.tif 000010
【図１０】
0006726488.tif 000011
【図１１】
0006726488.tif 000012